(57)【要約】【訣題】    本考案の目的は、夜間歩行中の安全をより確保することができる襷を提供するものである。【解決手段】    襷Ｌは、使用者の一方の肩から他方の腰に斜めにかけて使用される襷Ｌであって、襷Ｌの中央に設けられ、襷Ｌの長手方向に沿って設けられた帯状の第１の反射材１と、襷Ｌの一方の縁部に設けられ、襷Ｌの長手方向に沿って設けられた帯状の第２の反射材２と、襷Ｌの他方の縁部に設けられ、襷Ｌの長手方向に沿って設けられた帯状の第３の反射材３とを備え、第２の反射材２は、襷Ｌの表側から襷Ｌの裏側に亘って設けられ、第３の反射材３は、襷Ｌの表側から襷Ｌの裏側に亘って設けられているものである。【選択図】図１
0003181419.tif 000002
【実用新案登録請求の範囲】
【請求項１】
使用者の一方の肩から他方の腰に斜めにかけて使用される襷であって、
前記襷の中央に設けられ、前記襷の長手方向に沿って設けられた帯状の第１の反射材と、
前記襷の一方の縁部に設けられ、前記襷の長手方向に沿って設けられた帯状の第２の反射材と、
前記襷の他方の縁部に設けられ、前記襷の長手方向に沿って設けられた帯状の第３の反射材と、
を備え、
前記第２の反射材は、前記襷の表側から前記襷の裏側に亘って設けられ、
前記第３の反射材は、前記襷の表側から前記襷の裏側に亘って設けられている
ことを特徴とする襷。
【請求項２】
襷はベルト状の布地で形成され、
前記ベルト状の布地に第２の反射材と第３の反射材は、取り付けられ、
前記第２の反射材の前記ベルト状の布地の表側から前記ベルト状の布地の裏側に亘る折り返し部の厚みは、前記ベルト状の布地の厚みより厚く、
前記第３の反射材の前記ベルト状の布地の表側から前記ベルト状の布地の裏側に亘る折り返し部の厚みは、前記ベルト状の布地の厚みより厚く形成されている
ことを特徴とする請求項１記載の襷。
【請求項３】
襷は、ベルト状の布地の表側が対向し、前記ベルト状の布地の両端部が重なる重ね部の部位が前記ベルト状の布地の長手方向を斜めに横断するように縫製されて、環状に形成されている
ことを特徴とする請求項１又は請求項２記載の襷。
【請求項４】
襷に穴が設けられ、この穴に紐が通され、該紐に衣服を挟持するための挟持部材が取り付けられている
ことを特徴とする請求項１又は請求項２記載の襷。
【考案の詳細な説明】
【技術分野】
【０００１】
本考案は、襷に係り、特に、夜間歩行中の安全をより確保することができる襷に関する。
【背景技術】
【０００２】
従来、夜間歩行中の安全を確保することができる襷として、例えば、幅５cmの黄色い布地に、幅２cmのグレーの反射材が縫い付けてあるものが市販されている。
かかる市販されている襷にあっては、正面から車等の光を受けた場合には、反射材で反射し、支障を生じない。
【考案の概要】
【考案が解決しようとする課題】
【０００３】
しかしながら、上記市販されている襷にあっては、側面から光を受けた場合には、反射できず、安全を確保できないという問題点があった。
【０００４】
本考案は、上記の問題点を除去するようにした襷を提供することを目的とする。
【課題を解決するための手段】
【０００５】
請求項１記載の襷は、使用者の一方の肩から他方の腰に斜めにかけて使用される襷であって、前記襷の中央に設けられ、前記襷の長手方向に沿って設けられた帯状の第１の反射材と、前記襷の一方の縁部に設けられ、前記襷の長手方向に沿って設けられた帯状の第２の反射材と、前記襷の他方の縁部に設けられ、前記襷の長手方向に沿って設けられた帯状の第３の反射材と、を備え、前記第２の反射材は、前記襷の表側から前記襷の裏側に亘って設けられ、前記第３の反射材は、前記襷の表側から前記襷の裏側に亘って設けられているものである。
【０００６】
また、請求項２記載の襷は、請求項１記載の襷において、襷はベルト状の布地で形成され、前記ベルト状の布地に第２の反射材と第３の反射材は、取り付けられ、前記第２の反射材の前記ベルト状の布地の表側から前記ベルト状の布地の裏側に亘る折り返し部の厚みは、前記ベルト状の布地の厚みより厚く、前記第３の反射材の前記ベルト状の布地の表側から前記ベルト状の布地の裏側に亘る折り返し部の厚みは、前記ベルト状の布地の厚みより厚く形成されているものである。
【０００７】
また、請求項３記載の襷は、請求項１又は請求項２記載の襷において、襷は、ベルト状の布地の表側が対向し、前記ベルト状の布地の両端部が重なる重ね部の部位が前記ベルト状の布地の長手方向を斜めに横断するように縫製されて、環状に形成されているものである。
【０００８】
また、請求項４記載の襷は、請求項１又は請求項２記載の襷において、襷に穴が設けられ、この穴に紐が通され、該紐に衣服を挟持するための挟持部材が取り付けられているものである。
【考案の効果】
【０００９】
請求項１記載の襷によれば、正面から光を受けた場合には、第１の反射材、第２の反射材、第３の反射材で反射し、側面から光を受けた場合には、襷の長手方向に沿うと共に、襷の表側から襷の裏側に亘って設けられている第２の反射材又は第３の反射材の「襷の表側から襷の裏側に亘る」折り返し部で反射するため、夜間歩行中の安全をより確保することができる。
【００１０】
また、請求項２記載の襷によれば、第２の反射材のベルト状の布地の表側から布地の裏側に亘る折り返し部の厚みは、ベルト状の布地の厚みより厚く、第３の反射材のベルト状の布地の表側から布地の裏側に亘る折り返し部の厚みは、ベルト状の布地の厚みより厚く形成されているため、側面から光を受けた場合には、ベルト状の布地の長手方向に沿うと共に、ベルト状の布地の表側から布地の裏側に亘って設けられている第２の反射材又は第３の反射材の「ベルト状の布地の表側からベルト状の布地の裏側に亘る」折り返し部で反射し、しかも、厚みが厚い分、反射光が多くなり、夜間歩行中の安全をより確保することができる。
【００１１】
また、請求項３記載の襷によれば、上述した請求項１又は請求項２記載の考案の効果に加え、襷は、ベルト状の布地の表側が対向し、前記ベルト状の布地の両端部が重なる重ね部の部位が前記ベルト状の布地の長手方向を斜めに横断するように縫製されて、環状に形成されているため、斜めに向かって縫製さている部分が、体に密着する分、襷の使用勝手を向上させることができる。
【００１２】
また、請求項４記載の襷によれば、上述した請求項１又は請求項２記載の考案の効果に加え、使用者が一方の肩から他方の腰に斜めにかけて襷を使用する際、挟持部材により衣服に挟持させることができるため、襷の移動を防いで、使用勝手を向上させることができる。
【図面の簡単な説明】
【００１３】
【図１】図１は、本考案の一実施例の襷の使用状態を示す概略的正面図である。
【図２】図２は、図１の概略的側面図である。
【図３】図３は、図１の３−３線による概略的拡大断面図である。
【図４】図４は、図３の一部を分解して示す概略的一部分解拡大断面図である。
【図５】図５は、図１の挟持部材の取り付け状態を示す概略的断面図である。
【図６】図６は、図５の挟持部材を衣服に取り付ける前の状態の概略的断面図である。
【図７】図７は、図１の襷を形成する過程の概略的図である。
【図８】図８は、図７のベルト状の布地の端部を縫製した状態の概略的図である。
【図９】図９は、図８のベルト状の布地を矢印方向へ折り曲げた状態の概略的図である。
【図１０】図１０は、図９の折り曲げた帯状部材の部位を縫製した状態の概略的図である。
【図１１】図１１は、図１０の概略的断面図である。
【考案を実施するための形態】
【００１４】
本考案の一実施例の襷を図面を参照して説明する。
図１に示すＬは襷で、襷Ｌは、例えば、ベルト状の布地で形成され、使用者の一方の肩から他方の腰に斜めにかけて使用されるものである。
襷Ｌの中央には、帯状の第１の反射材１[第１の反射材１は、例えば、マイクロプリズム反射シートである。]が設けられ、帯状の第１の反射材１は、襷Ｌの長手方向に沿って設けられている。
【００１５】
また、襷Ｌの一方の縁部には、帯状の第１の反射材１より細い幅の帯状の第２の反射材２[第２の反射材２は、例えば、ガラスビーズ反射布である。]が設けられ、帯状の第２の反射材２は、襷Ｌの長手方向に沿って設けられている。
第２の反射材２は、図３に示すように、襷Ｌの表側から襷Ｌの裏側に亘って設けられている。
第２の反射材２は、ベルト状の布地で形成された襷Ｌに取り付けられ、第２の反射材２のベルト状の布地の表側からベルト状の布地の裏側に亘る折り返し部２３の厚みＴは、ベルト状の布地の厚みｔ（Ｔ＞ｔ）より厚くなっている。
これは、襷Ｌを体に装着し、側面から車等の光を受けた場合には、ベルト状の布地の長手方向に沿うと共に、ベルト状の布地の表側からベルト状の布地の裏側に亘って設けられている第２の反射材２の「ベルト状の布地の表側からベルト状の布地の裏側に亘る」折り返し部２３で反射し、しかも、厚みＴ（Ｔ＞ｔ）が厚い分（図３参照）、反射光が多くなり、夜間歩行中の安全をより確保することができるためである（図２参照）。
厚みＴを得るために、第２の反射材２には、図４に示すように、補助部材２１（例えば、紐状部材）、補助部材２２（例えば、スポンジ状部材）が設けられている。
【００１６】
また、襷Ｌの他方の縁部には、帯状の第１の反射材１より細い幅の帯状の第３の反射材３[第３の反射材３は、例えば、ガラスビーズ反射布である。]が設けられ、帯状の第３の反射材３は、襷Ｌの長手方向に沿って設けられている。
第３の反射材３は、襷Ｌの表側から襷Ｌの裏側に亘って設けられている。
第３の反射材３は、ベルト状の布地で形成された襷Ｌに取り付けられ、第３の反射材３のベルト状の布地の表側からベルト状の布地の裏側に亘る折り返し部３３の厚みＴは、ベルト状の布地の厚みｔ（Ｔ＞ｔ）より厚くなっている。
これは、襷Ｌを体に装着し、側面から車等の光を受けた場合には、ベルト状の布地の長手方向に沿うと共に、ベルト状の布地の表側からベルト状の布地の裏側に亘って設けられている第３の反射材３の「ベルト状の布地の表側からベルト状の布地の裏側に亘る」折り返し部３３で反射し、しかも、厚みＴ（Ｔ＞ｔ）が厚い分（図３参照）、反射光が多くなり、夜間歩行中の安全をより確保することができるためである（図２参照）。
厚みＴを得るために、第３の反射材３には、図３及び図４に示すように、補助部材３１（例えば、紐状部材）、補助部材３２（例えば、スポンジ状部材）が設けられている。
【００１７】
従って、上述した襷Ｌによれば、襷Ｌを体に装着し、正面から光を受けた場合には、第１の反射材１、第２の反射材２、第３の反射材３で反射し、側面から光を受けた場合には、襷Ｌの長手方向に沿うと共に、襷Ｌの表側から襷の裏側に亘って設けられている第２の反射材２又は第３の反射材３の「襷Ｌの表側から襷Ｌの裏側に亘る」折り返し部２３、３３で反射するため、夜間歩行中の安全を確保することができる。
【００１８】
また、上述した襷Ｌは、次のようにして作られる。図７に示すように、襷Ｌは、ベルト状の布地の表側が対向し、前記ベルト状の布地の両端部（Ｌ２）が重なる重ね部の部位が前記ベルト状の布地の長手方向を斜めに横断するように縫製されて（縫製された部位を図８にｌ１、ｌ２で示す。）、環状に形成される。
ベルト状の布地の両端部（Ｌ２）が重なるように環状に形成される場合、一方の端部はＵターン部Ｌ１である。
このようにベルト状の布地の長手方向を斜めに横断するように縫製したのは、使用者が一方の肩から他方の腰に斜めにかけて襷Ｌを使用すれば、斜めに向かって縫製さている部分が、体に密着する分、襷Ｌの使用勝手を向上させることができるためである（図１のＡ部参照）。なお、図７に示す５は、両端部（Ｌ２）を覆う覆い部材である。
図８のベルト状の布地を図９に示す矢印方向へ折り曲げ、該折り曲げた帯状部材の部位を縫製して、折り曲げたベルト状の布地の部位が立ち上がらないように固定している（縫製された部位を図１０及び図１１にｌ３で示す。）。
【００１９】
また、図１、図５及び図６に示す１０は、襷Ｌに設けられた穴（例えば、ハトメ）で、２０は、穴１０に通された紐で、３０は、衣服Ｃを挟持するための挟持部材で、挟持部材３０は紐２０に取り付けられている。
従って、使用者が一方の肩から他方の腰に斜めにかけて襷Ｌを使用する際、挟持部材３０を衣服Ｃに挟持させることができるため（図１、図２及び図５参照）、襷Ｌの移動を防いで、使用勝手を向上させることができる。
【符号の説明】
【００２０】
Ｌ      襷
１      第１の反射材
２      第２の反射材
３      第３の反射材
【図１】
0003181419.tif 000003
【図２】
0003181419.tif 000004
【図３】
0003181419.tif 000005
【図４】
0003181419.tif 000006
【図５】
0003181419.tif 000007
【図６】
0003181419.tif 000008
【図７】
0003181419.tif 000009
【図８】
0003181419.tif 000010
【図９】
0003181419.tif 000011
【図１０】
0003181419.tif 000012
【図１１】
0003181419.tif 000013